(57)【要約】      （修正有）【課題】乾燥手順中の空気流中の細菌の量を少なくとも減らし、消毒または殺菌のために使用することが可能なドライヤを提供する。【解決手段】ドライヤ１は、ハウジングポート３を介して外部からアクセス可能であり、かつ、空気流によって乾燥される四肢、特に、手、を収納するように構成された中空空間４と、空気流を発生するための空気流発生装置５とが、その内部に設けられたハウジング２を有し、空気流中の細菌を低減する減菌手段６を備えている。【選択図】図１
2013226415.tif 000002
【特許請求の範囲】
【請求項１】
ハウジングポート（３）を介して外部からアクセス可能であり、かつ、空気流によって乾燥される四肢、特に、手、を収納するように構成された中空空間（４）と、前記空気流を発生するための空気流発生装置（５）と、が、その内部に設けられたハウジング（２）を有するドライヤ（１）であって、
前記空気流中の細菌を低減する減菌手段（６）を備えていることを特徴とするドライヤ。
【請求項２】
前記減菌手段（６）が、
−前記空気流中に減菌物質を供給するための装置、および／又は、
−プラズマまたはイオンの発生源、および／又は、
−放射線の線源、
から成るグループから選択されることを特徴とする請求項１記載のドライヤ。
【請求項３】
前記減菌物質は、液体または気体であり、詳しくは、
−少なくとも１つのアルコールまたはアルコール性溶液、および、
−オゾンおよび／又は遊離基を含有する気体、
から成るグループから選択されることを特徴とする請求項２記載のドライヤ。
【請求項４】
前記プラズマまたはイオンの発生源は、マイクロ波または高周波によって誘発されるプラズマまたはイオン発生源であることを特徴とする請求項２記載のドライヤ。
【請求項５】
前記放射線の線源は、ＵＶ発生装置または誘電体バリア放電ランプであることを特徴とする請求項２記載のドライヤ。
【請求項６】
更に、少なくとも１つの排気ダクト（７）と少なくとも１つの空気供給ダクト（８）とを有し、前記空気流が当該排気ダクト（７）と当該空気供給ダクト（８）と前記中空空間（４）とを通って循環可能となるように、当該排気ダクト（７）および当該空気供給ダクト（８）は前記中空空間（４）と連通していることを特徴とする請求項１から５のいずれか一項に記載のドライヤ。
【請求項７】
前記空気流発生装置（５）は、前記排気ダクト（７）内、前記空気供給ダクト（８）内、または前記中空空間（４）の領域内に配設され、特に、前記排気ダクト（７）の領域内に配設されていることを特徴とする請求項６記載のドライヤ。
【請求項８】
前記減菌手段（６）は、前記排気ダクト（７）内、前記空気供給ダクト（８）内、または前記中空空間（４）の領域内に配設され、特に、前記排気ダクト（７）の領域内に配設されていることを特徴とする請求項６または７記載のドライヤ。  
【請求項９】
前記ハウジングポート（３）のポート領域（Ｆ３）は、前記中空空間（４）の総表面積（Ｆ１＋Ｆ２＋Ｆ３＋Ｆ４＋Ｆ５＋Ｆ６）の２０％以下であることを特徴とする請求項１から８のいずれか一項に記載のドライヤ。
【請求項１０】
前記中空空間（４）の総表面積（Ｆ１＋Ｆ２＋Ｆ３＋Ｆ４＋Ｆ５＋Ｆ６）は、前記ハウジング（２）によって、２５％以上、好ましくは、３５％以上、より好ましくは５０％以上の程度、取り囲まれていることを特徴とする請求項１から９のいずれか一項に記載のドライヤ。
【請求項１１】
前記空気流は、少なくとも１つのノズル（９）、特に、前記ハウジングポート（３）の長手側壁（３０，３０’）において互いに反対側に配設された二つのフラットノズル（９）を通して前記中空空間（４）に吹き込まれ、ここで、前記ノズル（９）の開口部と前記ハウジングポート（３）のポート領域（Ｆ３）との間の傾斜角度（α）は好ましくは少なくとも７°あることを特徴とする請求項１から１０のいずれか一項に記載のドライヤ。
【発明の詳細な説明】
【技術分野】
【０００１】
本発明は、ハウジングポートに挿入された四肢、特に手、を空気流によって中空空間で乾かすことが可能なドライヤ、特にハンドドライヤに関する。
【背景技術】
【０００２】
そのようなドライヤは基本的に従来技術から知られている。それらは通常、手を乾かすために、単数又は複数のノズルを通して前記中空空間に位置する手に空気を吹き付けるファンまたはブロワを有する。例えば、ハンドドライヤが国際公開第２００７／０１５０４０号に記載されており、ここでは、薄いエアカーテン状の空気流がスロット状ノズルを介して手に向けて高速で吹き出される。手から吹き飛ばされた液体は流体収集領域に収集される。他方、乾燥に使用された空気は、その一部がドライヤ内部で再循環され、部分的に、ドライヤの外部環境へと流れ込む。このようにすることで、手に付着する汚染物質、特に、胞子やバクテリア等の細菌を空気によって搬送し、それを周囲大気中に移動させることができる。
【０００３】
多くの分野においては、空気中の汚染物、特に、細菌が蓄積することは望ましくなく、禁止すらさている。例えば、この点に関して、例えば、病院、高齢者用の住居ケアホームや、薬品や食品の製造、調理等において清潔な環境状態のために厳しい要求が科せられる製造工場が参照される。このような特定例とは関係なく、満足のゆく衛生状態がますます要求されているのが現在の一般的傾向である。
【先行技術文献】
【特許文献】
【０００４】
【特許文献１】国際公開第２００７／０１５０４０号
【発明の概要】
【発明が解決しようとする課題】
【０００５】
環境汚染制御に加えて、多くの分野において、四肢、特に手、そして、場合によっては、そのような分野で労働する人員の腕、を消毒、あるいは殺菌することさえもが必要とされている。消毒または殺菌は、通常、殺菌物質、例えば、液体またはゲル状のアルコール性組成物で洗浄することによって行われる。しかしながら、完全な消毒または殺菌のためには、時間のかかる非常に骨の折れる手順が必要である。多くの場合、消毒または殺菌作業は、十分に完全なものではなく、そのことにより、四肢上に残った細菌による感染のリスクが生じる。
【０００６】
したがって、本発明の課題は、乾燥手順中に再循環される空気流および／又は、外部環境へと流れる空気流中の細菌の量を少なくとも減らし、かつ、所望の場合には、その内部に置かれた、四肢、特に、手、および場合によっては腕、の消毒または殺菌のために使用することが可能な、ドライヤを提供することにある。
【課題を解決するための手段】
【０００７】
この課題は、請求項１に記載のドライヤによって達成される。好適な実施例は従属項に定義されている。
【０００８】
したがって、本発明は、そのもっとも広い態様において、ハウジングポートを介して外部からアクセス可能な中空空間が内部に形成されたハウジングを有するドライヤに関する。この中空空間は、四肢、特に、手、を乾燥する目的で収納する。さらに、中空空間内に位置する前記四肢を乾燥するために使用される空気流を作り出すための装置が設けられる。加えて、本発明のドライヤは、前記空気流中に存在する細菌の量を減少させることが可能な手段を有する。この手段によって、特に、乾燥されるべき四肢に向けて吹き付けられる空気流によって運ばれた細菌が殺される。したがって、前記空気流によって運ばれた細菌がドライヤの外部環境に流れ込んだり、ドライ内の空気流の再循環によって使用者の四肢に戻ったりする可能性がなくなる。
【０００９】
基本的に、空気流中の細菌を減少させるための前記手段として全ての適当な減菌手段を使用することができる。例えば、空気流中に減菌または殺菌物質（以下、簡略化のために減菌物質と称する）を施す手段が適当である。使用される減菌物質のタイプには基本的に制約は無いが、ただし、ドライヤの使用者の健康に対して潜在的に有害となり得る物質は避けなければならないことは勿論である。好適には、前記減菌物質を空気流中に、噴霧（ｓｐｒａｙｉｎｇ）、微粒子化（ａｔｏｍｉｚｉｎｇ）または吹き込む（ｂｌｏｗｉｎｇ）ことによって、減菌物質は空気流に対して調量される。ノズル等の適当な供給手段が従来技術において知られているので、ここでは詳細な説明は行わない。好適には、前記減菌物質は、液状またはガス状である。少なくとも一つのアルコール、アルコール性溶液、または、オゾンおよび／又は遊離基（ｆｒｅｅｒａｄｉｃａｌ）含有ガスを使用することが非常に好適である。
【００１０】
空気流中の細菌を減らすためのさらに別の手段として、プラズマまたはイオン、好ましくは、マイクロ波または高周波（ｒａｄｉｏ ｆｒｅｑｕｅｎｃｙ）の発生源を使用することができる。そのような発生源によってプラズマまたはイオン化ガスが空気流中に作り出される。このプラズマまたはイオンガスは本質的に殺菌作用を持っている。さらに、同様に殺菌作用を有する、上述したオゾンや遊離基等の反応性化合物が、二次工程において形成される。
【００１１】
放射線発生源を、空気流中の菌を減らすための更に別の手段として使用することが可能である。一方において、本来的に殺菌作用を有する放射線の線源を使用し、または、他方において、殺菌性化合物の形成をもたらす放射線の線源を使用することが可能である。前記第１の可能性の具体例として紫外線を放射する線源を挙げることができる。その作動によって反応性プラズマを形成する誘電体バリア放電ランプが第２の可能性の一つの具体例である。
【００１２】
上述した手段のすべてによって、本発明のドライヤの内部において形成される空気流中の細菌の減少が直接的または間接的にもたらされる。ドライヤ内部の空気流を適当な方法で案内することにより、そして、空気流中の細菌を減らすための前記手段を適切に配設することによって、前記殺菌手段が、乾燥されるべき四肢に対して直接作用するのか、または、単に、四肢から離れる空気流を殺菌するのかをあらかじめ決めておくことができる。例えば、殺菌物質の外部供給源を設けることによって、または、放射手段やプラズマまたはイオン発生源によって殺菌物質を空気流中に作り出されるようにすることにより、乾かされた四肢から離れる空気流中にのみ殺菌物質を流すような滅菌手段を実装することが可能である。殺菌物質の濃度が高められた空気流が乾燥チャンバに再循環されない場合には、乾燥される使用者の四肢は殺菌剤と接触しない。さらに、空気流から殺菌物質をフィルタ除去すること、または、殺菌物質を無害な分解生成物に分解すること、によって、殺菌物質がドライヤの外部環境に逃げることを防止、または、少なくとも減少させることが可能である。殺菌された細菌を収集するためにフィルタを使用することも可能である。
【００１３】
しかし、もしも本発明のドライヤが四肢の減菌および／又は殺菌のためにも使用されるのであれば、減菌物質は乾燥処理が行われる前記中空空間に供給される。これは、例えば、減菌物質を多く含んだ空気流を、例えば再循環によって、中空空間に供給させるか、または、減菌物質が中空空間で作り出されるようにすることによって、実現することができる。もしも減菌手段が、それ自身が殺菌作用を有する放射線の線源、例えば、ＵＶ発生装置、である場合には、それは、好ましくは、その放射線が前記中空空間内に位置する四肢に向けて放出されるように、前記中空空間内に配置される。上述した可能性の組み合わせも実行可能である。
【００１４】
原則として、本発明のドライヤの基本構造は、従来のドライヤの構造に類似したものとすることができ、空気流中の減菌手段を使用する点においてのみ、従来のドライヤと異なっている。したがって、原則的に、本発明の利点を達成するために、減菌手段を設けることによって従来のドライヤを改造することも可能である。本発明によれば、国際公開第２００７／０１５０４０号に記載されているものに、基本構造が類似するドライヤが好適である。これは、特に、乾燥チャンバへの空気の供給に関する。本発明によれば、この目的のために、フラットノズルが好適に使用され、これにより、薄いエアカーテンが乾燥されるべき四肢に対して高速で吹き付けられる。好ましくは、本発明のドライヤは二つのフラットノズルを有し、これらは前記ハウジングポートの長手側壁において互いに反対側に位置し、これらノズルによって、空気流が中空空間に吹き込まれる。これらノズルの開口部（ｏｒｉｆｉｃｅ）を、ハウジングポートのポート領域に対して少なくとも７°の傾斜角で配置することが好適であることが分かっている。このように構成することで、中空空間に吹き込まれる空気は、乾燥すべき四肢に向けて、またその四肢に沿って、相対的に小さな角度で斜めに案内される。前記空気流を作り出すための装置は、従来において使用されているような、ブロワやファンとすることができる。
【００１５】
原則的に、空気流も同様に、従来のようにドライヤ内で案内することも可能である。四肢の乾燥のために中空空間に吹き込まれる空気の少なくとも一部がこの中空空間に再循環されるように構成することが好ましい。この目的のために、本発明のドライヤは、中空空間と連通する、少なくとも１つの空気排気ダクトと少なくとも１つの空気供給ダクトとを有し、空気流は、前記空気排気ダクト、前記空気供給ダクトおよび前記中空空間を通って循環する。ブロワやファン等の空気流発生装置は、基本的に、前記換気通路内の任意の位置、すなわち、前記空気排気ダクト内、前記空気供給ダクト内または前記中空空間の領域、に配置することができる。前記空気流発生装置は、空気流が中空空間から引き出される前記空気排気ダクトの領域に配置することが好ましい。
【００１６】
上述したように、空気流中の細菌を減少させるための手段の位置については様々なオプションが存在する。この点に関して、そのような手段は、前記空気排気ダクト内、前記空気供給ダクト内または前記中空空間の領域に配置することも可能である。ここでも、そのような手段を前記空気排気ダクトの領域に配置することが特に好ましい。
【００１７】
細菌がドライヤの領域から外部環境に流れることを可能な限り防止することが本発明の目的であるので、本発明のドライヤを概して閉じられた構造とすることが好ましい。これに対して、これまでに知られているハンドドライヤ、例えば、国際公開第２００７／０１５０４０号に記載されているもの、は比較的開放された構造を有している。この構造は、動圧（ｄｙｎａｍｉｃ ｐｒｅｓｓｕｒｅ）が増大することを防止し、空気が迅速に逃げることを許容する目的にかなっている。この理由により、例えば、手を乾かすように構成された中空空間は、ハンドドライヤの両側において開放されている。これに対して、本発明のドライヤのハウジングは、ドライヤの作動に悪影響を与えることのない可能な限りにおいてほぼ閉じられた構造を有している。これによって、本発明のドライヤからは、前記減菌手段を通過することなく逃げ出す空気の量を最小とすることができる。具体的には、乾燥される四肢のための前記中空空間へのアクセスを提供する前記ハウジングポートが、一方においては、そのポート面積が前記中空空間の総表面積の２０％以下を構成するように構成されている。ここで、「前記中空空間の総表面積」という用語は、この場合、前記中空空間の、ハウジング壁によって包囲されない外側の面を含む、中空空間の仮想表面積を指す。したがって、前記ハウジングポートのポート領域も、前記中空空間の総表面積に含まれる。このことは壁によって閉じられていない中空空間の開口した側方または底部領域についても同様である。中空空間の開口領域の総表面積に関して、この中空空間の総表面積の２５％以上が前記ハウジングによって取り囲まれるように構成することが好ましい。同様に、「中空空間の仮想総表面積」という表現は上述した意味を有する。より好ましくは、中空空間の総表面積の３５％以上、更に好ましくは、５０％以上、が前記ハウジングによって取り囲まれるように構成される。
【図面の簡単な説明】
【００１８】
【図１】本発明のドライヤのハンドドライヤに関する実施例の断面図である。
【図２】本発明のドライヤのハンドドライヤに関する実施例の断面図である。
【図３】本発明のドライヤのハンドドライヤに関する実施例の断面図である。
【図４】空気供給ダクトの中空空間への移行領域における拡大部分断面図である。
【図５】中空空間の領域のポート面積を示す本発明のドライヤの別の断面図である。
【図６】中空空間の総表面積を示す概略斜視図である。
【発明を実施するための形態】
【００１９】
以下に、図面を参照して、本発明を更に詳細に説明する。ここで、これらの純粋に概略的な図において、類似の部材は類似の参照符号によって示されている。
【００２０】
図１は、本発明のハンドドライヤ１の断面図であって、中空空間４の領域の断面を図示している。この断面は、それを通して乾燥されるべき手が中空空間４に挿入されるハウジングポート３の長手側３０に対して直角にとられている。手は、ハウジングポート３において、それぞれの手の掌と甲とが、互いに揃えられ、かつ、ハウジングポート３の各長手側３０に対して隣接するように、それ自身公知の状態で並べられた状態で位置する。したがって、この図面に図示されている断面と、その他の断面図とは、中空空間４における手の配置状態において、掌に対して直角に延出する方向に対応している。
【００２１】
本発明のドライヤ１は、ハウジングポート３を除いて、ハウジング２によって実質的に取り囲まれている。乾燥される手の収納のための上述した中空空間４と、ドライヤ１内部において空気流を案内するためのダクトが、ハウジング２内に位置している。具体的には、空気排気ダクト７は、中空空間４から離間するように延出し、ハウジングポート３に向けて中空空間４を超えて戻って延出している二つの空気供給ダクト８内へと開口している。二つの空気供給ダクト８の端部は二つのスロットノズル９の形状に構成されている。これらのスロットノズル９は、ハウジングポート３の側方エッジ３０の実質的に全長に渡って延出している。薄いエアカーテンが、スロットノズル９を通して高速で、中空空間４内に位置する乾燥される手に向けて吹き出される。
【００２２】
矢印Ｓで示されている空気流を作り出すために、空気排気ダクト７の領域にファン５が設けられている。このファン５の作動によって、中空空間４から空気排気ダクト７に向けて空気が引き込まれ、ここから、空気は、空気供給ダクト８へと運ばれ、その後、スロットノズル９によって中空空間４内へ強制的に戻される。原則的に、空気流の実質的に全部をドライヤ１内において循環することが可能である。あるいは、空気流Ｓの一部のみをドライヤ１内で再循環させ、他の部分は出口ポート（図示せず）を通してドライヤ１の外部環境に戻されるように構成することも可能である。
【００２３】
空気流によって運ばれる細菌が、中空空間４に戻ったり、あるいは、ドライヤ１の外部環境に放出されたりすることを防止するために、減菌手段６が空気排気ダクト７内に設けられている。この手段６は、中空空間４から引き出され空気排気ダクト７に供給される空気の実質的に全部が、減菌手段６の作用領域内へと流れ込むように配置されている。手段６は、排気ダクト７の領域においてプラズマまたはイオン化ガスを作り出すプラズマ発生源またはイオン発生源とすることができる。その結果、プラズマまたはイオン化ガスが、空気流によって運ばれた細菌を殺す。あるいは、放射線の線源を用いることもできる。この放射線は、例えば、紫外線放射線の放出によって細菌を直接的に殺したり、その作動によって、例えば、オゾン、反応性イオン化化合物または遊離基のような反応性化合物を空気流中に形成したりする。さらに別の変形例において、減菌手段６は、減菌物質を放出する手段とすることができる。例えば、手段６は、減菌物質を収納する容器（図示せず）と連通し、この物質を空気流内へと放出する、ノズルとして構成することも可能である。
【００２４】
減菌手段６によって空気流中に直接的に放出された減菌物質、または、手段６の外部環境において形成された物質は、空気流によって運ばれ、空気供給ダクト８とノズル９とを通って中空空間４内へと運ばれる。ここで、それらはこの中空空間４内に位置する手と接触し、その結果、手の除菌または殺菌を助ける。
【００２５】
図２は、本発明のドライヤの別実施例を図示し、これは、減菌手段６と空気流発生装置５との位置において図１に図示したものと異なっている。ここでは、減菌手段６は、矢印の方向においてファン５の上流側に配設されている。ただし、その作動は、図１に図示したドライヤの作動と均等である。
【００２６】
空気流中の細菌の減菌手段６の更に別の実施例が図３に図示されている。ここでは、手段６は、中空空間４、例えば、中空空間４のハウジングポート３から離間した領域、に配設されている。これに加えて、または、これに代えて、破線で示される手段６を、中空空間４内に取り付けることができる。中空空間４内に手段６を設けることは、例えば、中空空間４内に位置する乾燥される手に向けての殺菌放射線の放出に基づく殺菌作用を有する手段６に適している。したがって、この手段６は、例えば、ＵＶ発生装置として構成することができる。もちろん、手段６を、ハウジング内の、中空空間４に隣接する位置に設けることも可能である。手段６によって放出された放射線の中空空間４への通過を可能にするために、中空空間４との連通を可能にするべくウインドウや開口を設けることができる。
【００２７】
図４は、空気供給ダクト８の端部の領域と、この空気供給ダクト８と連通し中空空間４内に開口するノズル９と、の拡大部分断面図である。この図に図示されているように、ノズル９は、ハウジングポート３のポート領域に対して角度を有するように配設されている。空気流Ｓがノズル９によって中空空間４の内部に斜めに供給されるように、ノズル９は傾斜配設されている。ノズル９を離れる空気流がハウジングポート３のポート領域に対して斜めとなるように、ノズル９の口部における傾斜角αは好ましくは少なくとも７°である。このように構成することにより、空気流が中空空間４に位置する手に向かって後方から斜めに吹き出され、後方から指先の向こうに吹く空気流によって、手に付着した水分を除去する。手から吹き飛ばされた液体は、従来技術において知られている方法で排出し、流体収集領域または流体受け入れ容器に収集することができる。
【００２８】
従来技術と異なり、本発明のドライヤは大部分が閉じられた構造である。したがって、ハウジング２は、通常、従来技術の場合よりも、ドライヤのより大きな領域を外部環境からシールしている。従来技術においては、装置内の動圧の増大を防止するために比較的開放された構成が好適とされるのに対して、本発明では、細菌によって汚染された空気が減菌手段６を通過することなくドライヤ１の外部環境に流入することを防止するために、空気流の可能な限り大きな部分がドライヤ１内に留められることが好ましい。図５および６は、中空空間４がハウジングによって閉じられた例を示している。中空空間４は、ここでは、立方体としての理想化された形状で図示されている。しかし、以下の事項は、より複雑な形状の中空空間４に対しても同様に適用される。中空空間４の総表面積、すなわち、図６に示される立方体の総表面積は、領域Ｆ１，Ｆ２，Ｆ３，Ｆ４，Ｆ５およびＦ６の面積の和である。したがって、これは、仮想総面積である。なぜなら、全ての表面がハウジング２によって完全にカバーされているものではないからである。開口領域の面積、例えば、領域Ｆ３を有するハウジングポート３は、中空空間４の総表面積に含まれている。より複雑な形状の中空空間４の場合は、閉じられない領域が、それによって、開口領域を可能な限りもっとも少ない表面の広がりで閉じることが可能な表面積としてそれに加えられる。なお、各領域Ｆ１，Ｆ２，Ｆ３，Ｆ４，Ｆ５およびＦ６の面積をそれぞれ、Ｆ１，Ｆ２，Ｆ３，Ｆ４，Ｆ５およびＦ６と表現することがある。
【００２９】
本発明によれば、一方において、乾燥される手のために中空空間４へのアクセスを提供するハウジングポート３のポート領域Ｆ３が、可能な限り小さな面積を有することが好ましい。したがって、それは、手が普通の方法で中空空間４にアクセスするのを可能にするのに十分な大きさであればよい。好ましくは、ハウジングポートのポート領域Ｆ３は、中空空間４の総表面積（Ｆ１＋Ｆ２＋Ｆ３＋Ｆ４＋Ｆ５＋Ｆ６）の２０％以下を構成する。ドライヤ１の外部環境に対して開口する中空空間４の手段によって、中空空間４の総開口面積、すなわち、ハウジングポート３に加えて、全ての開口領域の総開口面積は、好ましくは、中空空間の総表面積の７５％以下である。反対に、中空空間４の総面積の２５％以上がハウジング２によって取り囲まれる。好ましくは、ハウジング２は、中空空間４の３５％以上、特に好ましくは５０％以上を取り囲む。これによって、ドライヤ１内での流れの案内効率が改善されるだけでなく、細菌によって大きく汚染されている可能性のある空気が、減菌手段６を通過する前にドライヤ１から流出する可能性を低減することができる。
【００３０】
尚、特許請求の範囲の項に図面との対照を便利にするために符号を記すが、該記入により本発明は添付図面の構造に限定されるものではない。
【符号の説明】
【００３１】
１：ドライヤ
２：ハウジング
３：ハウジングポート
４：中空空間
５：空気流発生装置
６：減菌手段
７：排気ダクト
８：空気供給ダクト
９：ノズル
３０，３０’：長手側壁
Ｆ３：ポート面積
α：傾斜角度
【図１】
2013226415.tif 000003
【図２】
2013226415.tif 000004
【図３】
2013226415.tif 000005
【図４】
2013226415.tif 000006
【図５】
2013226415.tif 000007
【図６】
2013226415.tif 000008